(57)【特許請求の範囲】
【請求項１】
吸息ガスを装着者に送るための呼吸マスクであって、前記呼吸マスクは、患者の口及び鼻の周りに合うように適合されたキャビティを画定するように成形されたマスク本体を備え、前記マスク本体は鼻キャビティ部分と口キャビティ部分とを備え、前記マスク本体は、前記鼻キャビティ部分によって画定されるキャビティの最大の深さが、前記口キャビティ部分によって画定されるキャビティの深さより大きいように成形され、前記鼻キャビティ部分は吸息ガス入口ポートを備え、前記口キャビティ部分は、前記吸息ガス入口ポートから間隔があいた位置において呼息ガス監視ポートを備え、前記呼息ガス監視ポートは、前記マスク本体から垂下するポートコネクタ形成体の入口であり、前記ポートコネクタ形成体は前記マスク本体と一体である、呼吸マスク。
【請求項２】
前記吸息ガス入口ポートは第１の方向を向き、前記呼息ガス監視ポートは、前記第１の方向から角度的にオフセットされた第２の方向を向く、請求項１に記載の呼吸マスク。
【請求項３】
前記第１の方向と第２の方向との間の角度は４５°より大きい、請求項２に記載の呼吸マスク。
【請求項４】
前記口キャビティ部分は、使用中に全体として装着者の口に対向して配置される前壁を備え、前記呼息ガス監視ポートは前記前壁内に位置する、請求項１〜請求項３のいずれか一項に記載の呼吸マスク。
【請求項５】
前記呼息ガス監視ポートは前記呼吸マスクの長手方向軸からオフセットされる、請求項１〜請求項４のいずれか一項に記載の呼吸マスク。
【請求項６】
前記呼息ガス監視ポートは、前記マスク本体内の、装着者の鼻からの呼息流と装着者の口からの呼息流との間の交点の領域内に位置する、請求項１〜請求項５のいずれか一項に記載の呼吸マスク。
【請求項７】
前記マスク本体と前記ポートコネクタ形成体とは単体の部材として成形される、請求項１〜請求項６のいずれか一項に記載の呼吸マスク。
【請求項８】
前記ポートコネクタ形成体は前記マスク本体の外面に沿って延在し、前記呼息ガス監視ポートから間隔があいた出口開口部を備える、請求項１〜請求項７のいずれか一項に記載の呼吸マスク。
【請求項９】
前記出口開口部は前記呼息ガス監視ポートに対して向きが実質的に垂直である、請求項８に記載の呼吸マスク。
【請求項１０】
前記ポートコネクタ形成体は全体として管状の形態である、請求項１〜請求項９のいずれか一項に記載の呼吸マスク。
【請求項１１】
前記ポートコネクタ形成体の内部に取り付けられたガス監視チューブ又はダクトを備える、請求項１〜請求項１０のいずれか一項に記載の呼吸マスク。
【請求項１２】
接着剤を使用して前記ポートコネクタ形成体に取り付けられたガス監視チューブ又はダクトを備え、前記ポートコネクタ形成体はその側壁内に、ウィンドウであってこれを通して接着剤が塗布されるウィンドウを備える、請求項１〜請求項１１のいずれか一項に記載の呼吸マスク。
【請求項１３】
前記ウィンドウはキーイング又は当接部位を提供し、固化した接着剤が前記ウィンドウ内の当接構造を形成する、請求項１２に記載の呼吸マスク。
【請求項１４】
鼻キャビティ部分内の吸息ガス入口ポートは、口キャビティ部分から離れるようガスを導くように配置される、請求項１〜請求項１３のいずれか一項に記載の呼吸マスク。
【請求項１５】
鼻キャビティ部分は前記マスク本体の第１の端を備え、口キャビティ部分は前記マスク本体の反対側の端を備え、吸息ガス入口ポートは吸息ガスを前記第１の端に向けて導くように配置される、請求項１〜請求項１４のいずれか一項に記載の呼吸マスク。
【請求項１６】
鼻キャビティ部分は、口領域の深さより大きな深さの鼻キャビティ領域を画定するように口キャビティ部分から外向きに垂下する介在壁を備え、吸息ガス入口ポートは前記介在壁内に設けられる、請求項１〜請求項１５のいずれか一項に記載の呼吸マスク。
【請求項１７】
呼息ガス監視ポートは使用中に装着者の口に面する、請求項１〜請求項１６のいずれか一項に記載の呼吸マスク。
【請求項１８】
マスク本体は、単体部品として形成され、かつ鼻キャビティ部分及び口キャビティ部分を画定するように成形された全体として剛性のポリマーシェルを備え、吸息ガス入口ポート及び呼息ガス監視ポートは前記ポリマーシェルの内面と外面との間で前記ポリマーシェルを通して延在する、請求項１〜請求項１７のいずれか一項に記載の呼吸マスク。
【請求項１９】
前記マスク本体は周縁エッジを有し、前記呼吸マスクは、周縁エッジ上に接合された、かつ使用中に装着者の顔とのシールを形成するように配置された、より軟質のシール材料を更に備える、請求項１８に記載の呼吸マスク。
【請求項２０】
前記呼息ガス監視ポートは、監視装置へのガスの供給のための二酸化炭素監視ポートである、請求項１〜請求項１９のいずれか一項に記載の呼吸マスク。
【請求項２１】
マスク本体は、呼息流が前記呼吸マスクから周囲空気に出ることを可能にする１つ以上の出口開口部を備える、請求項１〜請求項２０のいずれか一項に記載の呼吸マスク。
【請求項２２】
請求項１〜請求項２１のいずれか一項に記載の呼吸マスクと、１つ以上のダクトを介して前記呼吸マスクの吸息ガス入口ポートにガスを供給するためのガス供給ユニットと、使用中に装着者によって呼息されたガスの一部を受け入れるために呼息ガス監視ポートに接続される監視装置とを備える呼吸システム。
【発明の詳細な説明】
【技術分野】
【０００１】
本発明は、患者の治療において使用され得るような呼吸マスクに関する。
【背景技術】
【０００２】
呼吸マスクは、吸入ガスを、また場合によっては溶液中の薬物などの霧状液体を患者の気道に供給するために使用される。一般に、呼吸マスクと患者の顔とによって画定される呼吸エンクロージャにガスが供給され、患者はこの呼吸エンクロージャから吸入ガスを吸入する。従来のマスクは一般に、吸入ガスの入口と、吐出されたガスが呼吸マスクから流出する出口とを更に有する。
【０００３】
インターサージカルリミテッド（Ｉｎｔｅｒｓｕｒｇｉｃａｌ  Ｌｉｍｉｔｅｄ）の名における特許文献１では、そのような呼吸マスクの例が開示されている。患者の治療において使用されるこのタイプのマスクは、潜水夫や緊急サービス隊員によって使用される場合があるその他の呼吸器具と区別され得る。その種の産業用呼吸セットは一般に複雑かつ高価であり、過酷な環境において、再利用可能な呼吸可能空気の供給源を使用者に提供することを目的としている。対照的に、患者の治療のために例えば医療施設内で使用される呼吸マスクは、環境からの保護ではなく、単に患者にガスを送るための、軽量の、通常は使い捨ての物品であることを意図している。
【０００４】
患者治療のための従来の呼吸マスクは一般に、キャビティと、装着者の鼻及び口の周りで装着者の顔に対して付勢される外側を向いた周縁リムとを画定する単体部品を含む。この単体部品は一般に、例えばポリ塩化ビニル（ＰＶＣ）から形成される比較的薄壁のプラスチック構造であり、これにより、画定されたキャビティ形状が提供され、同時に、装着者に対する良好な装着を保証するためのある程度の可撓性が提供される。
【０００５】
患者治療のための従来の呼吸マスクは更に、ガス送達ユニット及び／又は呼吸回路にチュービングを介して接続されてもよい。呼吸回路内では、呼息流ラインが、換気機又は麻酔送達機などのガス送達ユニットと一体であってもよい呼吸監視ユニットへの接続を可能にし得るということが知られている。ガス送達ユニットと患者との間の全体として閉じたループを提供するために、呼息流ラインには一般に、Ｙピースコネクタと好適な弁配置とが備えられる必要がある。酸素マスクなどの一部のマスクでは、呼息ガスがマスク自体の中の開口部を通して流出し得る開ループ呼吸回路が提供される。そのようなマスクは閉ループ回路と共に使用するのには適さない。しかし、患者の健康の指標を提供するために、呼息ガスの１つ以上の特性を監視できることがしばしば望ましい
【０００６】
特許文献２及び特許文献３ではそれぞれ、酸素マスクの本体内に二酸化炭素監視器具を備える手段が開示されている。マスク内に専用の監視ラインを備えることによって測定精度が向上し得る。しかし二酸化炭素の測定精度は変動する場合があるいうことが見出された。また上記の従来技術では、マスクに対する挿入物によってマスク製造のコスト及び複雑さが増加する。
【先行文献の表示】
【０００７】
【特許文献１】英国特許第２４１２５９４号明細書
【特許文献２】米国特許出願公開第２００６／００３２５００号明細書
【特許文献３】米国特許第５，４７４，０６０号明細書
【発明の概要】
【発明が解決しようとする課題】
【０００８】
本発明の目的は、改良された呼息ガス監視配置を提供し得る、主として患者治療のための呼吸マスクを提供することである。
【課題を解決するための手段】
【０００９】
本発明の第１の態様によれば、吸息ガスを装着者に送るための呼吸マスクが提供され、マスクは、患者の口及び鼻の周りに合うように適合されたキャビティを画定するように成形されたマスク本体を含み、マスク本体は鼻キャビティ部分と口キャビティ部分とを含み、鼻キャビティ部分は吸息ガス入口ポートを含み、口部分は、入口ポートから間隔があいた位置において呼息ガス監視ポートを含む。
【００１０】
マスクは患者治療マスクであってもよい。
【００１１】
入口ポートは第１の方向を向いてもよく（例えば、第１の方向と整列された第１の軸の周りに配置されてもよく）、ガス監視ポートは第２の方向を向いてもよい（例えば、第１の方向と整列された第１の軸の周りに配置されてもよい）。
【００１２】
第２の方向は第１の方向から角度的にオフセットされていてもよい。第１の方向と第２の方向とは斜角に又は直角に配置されてもよい。第１の方向と第２の方向との間の角度は４５°又は６０°より大きくてもよく、約６０°又は７０°と９０°との間であってもよい。
【００１３】
第２の方向は、ガス監視ポートが使用中に、全体として装着者の鼻と口との間を向くように角度を付けられてもよい。
【００１４】
本発明によるガス監視ポートを有するマスクは、呼息流の例えば二酸化炭素又はその他の含量の正確な測定値を提供することが見出された。特にこのポートは、少ない１回呼吸量についての精度の向上を提供し、及び／又は、口又は鼻を通して呼吸する患者に対応し得るということが見出された。
【００１５】
口部分は、全体として使用中に装着者の口に対向して配置される直立した壁を含んでもよい。ガス監視ポートは直立した壁の中に位置してもよい。ガス監視ポートは、マスク本体内の、装着者の鼻からの呼息流と装着者の口からの呼息流との間の交点の領域内に位置してもよい。
【００１６】
一実施形態では、ガス監視ポートはマスクの長手方向軸からオフセットされる。
【００１７】
一実施形態では、ガス監視ポートは、マスク本体から垂下する直立したポートコネクタ形成体を含む。コネクタ形成体はマスク本体と一体であってもよく、マスク本体と共に単体の部材として形成されてもよい。
【００１８】
コネクタ形成体は、マスク本体の口キャビティ部分の外面から垂下してもよい。コネクタ形成体は、マスク本体の外面に沿って延在してもよい。ガス監視ポートはコネクタ形成体の入口であってもよい。コネクタ形成体は、ガス監視ポートから間隔があいた出口開口部を含んでもよい。出口は、ガス監視ポートに対して例えば斜角に又は実質的に垂直に角度を付けられてもよい。４５°〜９０°の角度が好適であり得る。
【００１９】
一実施形態では、コネクタ形成体は全体として管状の形態である。コネクタ形成体は、コネクタ形成体の内部に取り付けられたガス監視チューブ又はダクトを含んでもよい。ガス監視チューブ又はダクトは、接着剤を使用してコネクタ形成体に取り付けられてもよい。接着剤プラグが、例えばコネクタ形成体内の開口部内、及び／又はマスク本体の口部分内に設けられてもよい。
【００２０】
一実施形態では、マスクとガス監視ダクトとは異なる材料から形成されてもよい。接着剤は、一方の材料に対して、他方の材料に対するよりも大きな程度の接合を形成し得る。接着剤は固化して、ダクトとコネクタ形成体との間のプラグ又は当接構造(abutment feature)を形成し得る。接着剤はダクト材料に接合され、これによりマスク本体の開口部／ウィンドウ内の当接部又はプラグを形成してもよい。
【００２１】
鼻部分内の入口ポートは、口部分から離れるようガスを導くように配置されてもよい。鼻部分はマスク本体の第１の端に向けて配置されてもよく、口部分は鼻部分からマスク本体の反対側の端に向けて延在してもよい。入口ポートは吸入ガスを第１の端に向けて導くように配置されてもよい。鼻部分は、口領域の深さより大きな深さの鼻キャビティ領域を画定するように口部分から外向きに垂下する介在壁を含んでもよい。入口ポートは介在壁内に設けられてもよい。
【００２２】
ガス監視ポートは使用中に装着者の口に面してもよい。ガス監視ポートは口部分の上部領域において、例えば口部分と鼻部分（又は介在壁）との間の領域に接近して設けられてもよい。ガス監視ポートが設けられる口部分の領域は、鼻部分に対して斜角に角度を付けられてもよい。
【００２３】
マスク本体は、単体部品として形成され、かつ鼻及び口キャビティ部分を画定するように成形された全体として剛性のポリマーシェルを含んでもよく、監視ポートはシェルの内面と外面との間でシェルを通して延在する。
【００２４】
ガス監視ポートは例えば、監視機へのガスの送達のための二酸化炭素監視ポートであってもよい。
【００２５】
本発明の第２の態様によれば、第１の態様によるマスクと、１つ以上のダクトを介してマスクの入口ポートにガスを供給するためのガス送達ユニットと、使用中に装着者によって呼息されたガスの一部を受け入れるために呼息ガス監視ポートに接続される監視装置とを含む呼吸システムが提供される。
【００２６】
本発明の実施可能な実施形態について添付の図面を参照して単なる例として以下に更に詳細に説明する。
【図面の簡単な説明】
【００２７】
【図１】本発明の例による呼吸マスクの三次元図を示す。
【図２】図１のマスクの背面図を示す。
【図３】使用中の第１のマスクを通した断面図を示す。
【発明を実施するための形態】
【００２８】
最初に図１及び図２を参照すると、患者などの装着者への、酸素などの呼吸ガスの送達のために好適な呼吸マスク１０が示されている。呼吸マスクは、ポリプロピレン又はポリ塩化ビニルなどの好適に強く相対的に剛性のプラスチック材料から形成されるマスク本体１２と、エラストマなどのより可撓性があり、言い換えればよりしなやかな(compliant)材料から形成されるシール形成体１４とを含む。スチレン・エチレン・ブチレン・スチレン（ＳＥＢＳ）ベースの熱可塑性エラストマが、シール形成体のために使用されてもよい。しかしその他の従来のマスク本体及びシール材料が使用されてもよいということが理解されるであろう。
【００２９】
呼吸マスクは、いわゆる２ショット射出成形プロセスを使用して製造される。特に、最初にマスク本体１２が個別部品として射出成形され、次にシール形成体１４がマスク本体１０の表面上に射出成形される。マスク本体１２とシール形成体１４とは、このプロセスによって一緒に接合される。
【００３０】
マスク本体１２は、吸入ガスが患者に送られるキャビティを画定するために全体として凹形であり、口部分１６と鼻部分１８とを含む。マスク本体は、鼻部分によって画定されるキャビティの最大の深さが、口部分によって画定されるキャビティの深さより大きいように成形される。鼻部分１８は、患者の鼻梁の周囲に装着するように成形された、マスクの第１の端における頂点２０に向かって全体としてテーパーが付いている。
【００３１】
口部分１６は全体として、前方を向いた前壁１６Ａと、横方向に突出する側壁部分１６Ｂとを含み、側壁部分１６Ｂは、使用中に装着者の頬又は顎、特にそれらの下部に隣接して位置するように配置される。口部分はまた、前壁の下方にすなわちマスクの第２の端２２において、下壁すなわちシール形成体１６Ｃを含み、これは装着者の下顎と接触することが意図される。
【００３２】
中間壁部分１９が、マスク本体の口部分１６と鼻部分１８との間に配置され、これらの部分の間のインタフェースを効果的に画定する。中間壁は、口部分の前壁１６Ａの前方に突出する、例えば棚状の形態である。中間壁１９は、前壁１６Ａに対して通常はほぼ垂直に角度を付けられる。中間壁は、口部分を越えて突出するか又は口部分の上に突き出る鼻部分の下壁を画定する。
【００３３】
シール形成体１４は、マスク本体１２の周縁エッジに接合されてこの周縁エッジから延在する単体のフランジ部材である。シール形成体１４は、実質的にマスク本体の周縁全体の周囲を通ってもよく、かつ、マスク本体のエッジによって画定される開口部内に延在する内向きに垂下するリップ部を含んでもよい。シール部分は、スリットの形態の不連続部をその中に有してもよく、これは装着者の顔の様々な輪郭部分の周りでシールが変形することを可能にする。この例では、シール部材は下顎カップ形成体２４も含み、これは、装着者の下顎の下方のシールを、特に、より大きな顔の長さを有する装着者に提供し得る。
【００３４】
シール形成体１４のエラストマ性質は、呼吸マスクの接触面と患者の顔との間に効果的なシールを形成することを可能にする。しかし、マスクは、他の従来のマスク設計に適合する様々なシール形成体をその周縁エッジの周りに採用してもよいということが理解されるであろう。更に、シールの品質がマスクの提供業者にとってほとんど重要ではない場合、第２のより可撓性のあるシール材料１４の提供は全体的に省略することが可能である。
【００３５】
マスク本体１２は、酸素などの吸入ガスの供給源への接続のための入口ポート２６を更に含む。入口ポートは、中間壁１９内（すなわち鼻部分１８の下壁内）の開口部と、マスク本体から離れて口部分１６の前の空間内に外向き／下向きに延在する管状コネクタ３０とを含む。したがってコネクタ３０の自由端は、マスク本体の外側で口部分の前に配置される。使用中、吸入ガスの供給源が、供給管を介して入口ポート２６の管状コネクタに接続されて、吸入ガスが呼吸マスクのキャビティに、したがって患者の気道に供給される。
【００３６】
マスク本体は、入口開口部２６から間隔があいていてもよい１つ以上の吐出開口部２８を有する。この実施形態では、吐出開口部は、吐出されたガスが呼吸マスクのキャビティを出ることを可能にするマスク本体１０の壁内の単純な開口である。吐出開口部は細長い形態であってもよい。一対の吐出開口部が、鼻部分１８の両側に設けられる。全体として垂直に配向された吐出開口部が、口部分１６の前面１６Ａの両側上に（すなわち側壁１６Ｂ内に）更に設けられる。吐出開口部のその他の形状、構成、及び向きが可能であるということが理解されるであろう。いくつかの実施形態では、吐出開口部は単純な弁構造を含んでもよい。
【００３７】
本体１２は、使用中に弾性ストラップを受け入れるように配置された一対の外向きに延在するフランジ形成体３１を、呼吸マスクの両側上に有する。各フランジは、マスク本体の周縁エッジに隣接して位置し、伸縮性のあるストラップ（図面には図示せず）が使用時に取り付けられる開口を有する。弾性ストラップはフランジ３１の間に延在し、呼吸マスクが患者に装着される際に、患者の頭の周囲に装着される。使用中にストラップは調節され、これにより呼吸マスクが患者の顔に対して適切な力で付勢されて、装着者に過度の不快をもたらすことなく、呼吸マスクの周縁と装着者の顔との間に効果的なシールが形成されることが保証される。
【００３８】
図１には、口部分１６の前壁１６Ａ上に位置する監視ラインコネクタ形成体３２も示されている。コネクタ形成体３２がマスク本体の口部分１６と共に単体の部材となるように、コネクタ形成体３２は、例えばマスク本体と同じ材料を含んでマスク本体１２と一体形成される。コネクタ形成体は、マスク本体の残りの部分と共に単一成形ショット又はプロセスで形成してもよい。
【００３９】
コネクタ３２は、その両方の端において開口部又はポートを有する全体として管状の形成体を含む。コネクタ３２は、マスク本体のキャビティの内部への開口部を提供する第１のポート３４（図２を参照）から、監視ライン３８を受け入れるように配置される開口端コネクタ形成体を提供する第２のポート３６（図１を参照）まで延びる。監視ラインは、通常のＰＶＣダクト又はその他の好適な材料であってもよい。
【００４０】
コネクタ形成体３２は、口部分１６の前壁１６Ａの外部に沿って下向きに、すなわち鼻部分から離れるように又はマスクの第２の端２４に向けて延びる。コネクタ形成体は、入口コネクタ形成体３０と実質的に平行で、しかしそこから間隔があいていてもよい。これは、監視ラインコネクタ３２が最小の突出を有する堅牢なコネクタを提供し、引っかかるか又は別の方法でマスクの正常な動作を妨げる傾向がなくなる、という利益を有する。更に、監視ライン３８は、使用中に入口コネクタ３０に接続される入口ライン（図示せず）と実質的に同じ方向に延在することが有利である。これによりラインは容易に管理できるようになる。
【００４１】
図示されている実施形態では、監視ラインコネクタ３２は、マスク及び／又は入口コネクタの中心軸から横方向にわずかにオフセットされている。このオフセットにより、製造中の製品の工具段取りが単純化される。しかし他の実施形態では、以下に記載する利益のうちの１つ以上を監視ポート３４が達成できるように、コネクタ形成体は口部分内に別様に位置してもよい。例えばポート３４は、前壁１６Ａ又は側壁１６Ｂ内の代替の位置に移動してもよい。
【００４２】
監視ライン３８は全体として管状であり、形成体３２内に、その管状の内部に沿って監視ラインの端が部分的に通るよう受け入れられるように配置される。監視ラインは、ＰＶＣなどの通常のポリマー材料から形成されてもよい。
【００４３】
この例では、監視ラインは、接着剤（例えば糊）によって形成体３２内に保持される。医療用途のためのプラスチック部品を固定するのに好適な、紫外線活性糊などの通常の接着剤を使用してもよい。本実施形態では、コネクタ形成体３２は、途中まで長手方向に沿った、言い換えればポート３４及び形成体の開口端から間隔があいた開口部３９を有する。開口部３９はコネクタ形成体の側壁部分内に設けられ、図２に示すように、マスクの内部から開口部にアクセス可能なように、マスク本体の壁を通して設けられてもよい。あるいは開口部は、マスクの外側からアクセス可能なように、形成体３２の外面上に設けられてもよい。
【００４４】
開口部３９は、監視ライン３８の端がコネクタ形成体内に、開口部３９の位置を越えて（例えば、監視ライン３８の端がポート３４と開口部３９との間で終わるように）挿入されることを可能にするという点で特に有益である。監視ラインが形成体３２内にしっかりと保持されるように、接着剤が開口部を介して塗布されてもよい。このようにして接着剤プラグが開口部３９内に／開口部３９を介して提供され得、したがって接着剤プラグは監視ライン３８の端と干渉せず、したがって監視ライン内への流れに閉塞をもたらす可能性がない。端部停止又は類似した形成体がコネクタ形成体３２内に、接着剤の塗布に先立つその中での監視ラインの正しい位置付けを支援するために設けられてもよい。
【００４５】
加えて、開口部は、内部に接着剤が確実に塗布され得る「ウェル」形成体又は凹部を提供することが見出された。接着剤塗布部位を提供することに加えて、開口部は機械的キーイング部位すなわち当接部も提供し、固化した接着剤が使用中にこれに抗して保持され得る。すなわち接着剤は固化して開口部内のプラグ部材を形成し、これは使用中の監視ライン３８の除去に抵抗する。そのようなプラグは、使用中の監視ラインの望ましくない除去に抵抗する機械的当接を、接着剤を用いた化学的接合に加えて提供する。これは、監視ラインには良好に接合されるがマスク本体（例えばポリプロピレン又は類似した全体として剛性のポリマー材料）にはあまり良好に接合されない接着剤について特に重要であることが見出された。したがって接着剤がマスク本体と監視ラインとの間の弱い接合しか達成していない場合でも、この配置は、例えば監視ラインに対する意図しない引っ張りによるマスクからの除去に抵抗する。
【００４６】
次に図３を参照すると、使用中のマスクの例が示されており、ここで、マスクは、第１の端２０が最も上であり、かつ通常はナジオン又はそのわずかに下の、装着者の鼻４０の鼻梁に載るように装着者の顔に対して付勢される。第２の端２４は、装着者の口４２の下方、通常は下顎の近傍に位置する。
【００４７】
装着者の鼻４０及び口４２はマスクキャビティ内に位置する。装着者の口は、マスク本体１２の口部分１６内に収容され、装着者の鼻は、鼻部分１２内に収容される。鼻部分１２は、マスクの上端、したがって患者の鼻梁に向かってテーパーが付いている。
【００４８】
呼息監視ポートは、装着者の口の実質的に前すなわち正反対にあってもよい。
【００４９】
使用中に、ガスが入口２６を介して方向Ａにおいてマスクの内部に供給され、これにより少なくとも鼻部分１２を全体として満たす。吸息の間、マスクの内部のガスは、鼻及び／又は口を介して吸い込まれる。装着者の肺内にガスが吸い込まれる速度が、入口２６を介したガス供給速度より大きい場合、追加の周囲空気が開口部２８を介してマスク内に吸い込まれる。
【００５０】
呼息の間、装着者は矢印Ｂ又はＣの方向において鼻又は口のいずれかを介して息を吐き出してもよい。上述の位置における監視ポート３４は、全体として口及び鼻からの呼息流の間の交点に配置されるため、特に有益であることが見出された。したがって呼息流は、一貫して監視ポート３４の近傍でマスク本体に直接衝突する。したがってポート３４は、呼息流内の最も速く流れるガスの一部を受け入れる。
【００５１】
更に、呼息流の一部のみが直ちにポートを介して通るため、呼息流は前壁１６Ａの内面に衝突したら、開口部３４の近傍のマスクの下／口部分を満たす傾向があり、したがってポート３４を介し、かつ監視ライン３８に沿ういかなる更なる流れも、真の呼息流の相対的に一貫した正確な反映を含む。
【００５２】
この配置は、鼻部分の中間壁１９内に呼息監視ラインを備えることよりも有益である。呼息監視ポートのそのような位置は、入口コネクタに接近してコネクタを設けるために、また、装着者の鼻に接近して監視ポートを設けることによって呼息ガスの正確な測定値が与えられると信じられるために、一般に好まれる。しかし、本願発明者は、図３に示す矢印Ａの方向におけるマスク内へのガスの流れはマスクの鼻部分を満たし得ること、及び呼息流は、監視ポートが少なくとも部分的に呼息流によって迂回される状況を確立し得ること、又はさもなければ呼息流は監視ポートを通過する前に、入ってくるガスと混合されることを確認した。更に本願発明者は、患者が口を通して呼吸する場合、入ってくるガス流と呼息ガス流とが監視ラインに沿った通過に先立って交わって混合が促進されるか、又はさもなければ入ってくるガスの再循環がマスクの鼻部分内で確立されるため、この問題が悪化することを確認した。
【００５３】
したがって、本発明により、呼息ガス流の監視の精度が向上し、同時に、特に費用効率の高いマスク構成が提供されることが見出された。更に本発明により、装着者の鼻に接近してポートを位置付けるためにマスクの内部上に監視ポート突起を設ける必要性がなくなる。したがって本発明は、呼息ガス監視機能が、マスクのコスト又は重量の最小限の追加と、操作者又は装着者に対する最小限の妨害とで実装されることを可能にする。
【００５４】
また本発明は、監視コネクタ形成体が、使用中に不注意によって切断されること又は失われることがあり得ないように、マスク本体と共に形成されることを可能にする。
【００５５】
監視ラインは一般に、好適な監視手段まで進み、好適な監視手段は、二酸化炭素監視の例においてはカプノグラフを含んでもよい。監視ラインは、例えばルアーコネクタなどの好適なコネクタによって、監視装置に取り外し可能に接続されてもよい。本マスクは、酸素供給マスクについての二酸化炭素監視を可能にすることを主に意図するものであるが、本マスクはこれに限定されず、呼息流内のその他のガス濃度、及び／又は、流量、圧力、又は同様のものなどのその他のパラメータを監視するために使用されてもよい。
【００５６】
上記の説明は、患者への酸素の供給のために一般に使用されるマスクタイプに言及するものであるが、本発明は、エーロゾルマスクなどのその他の患者治療マスクタイプにも適用されてもよい。他の実施形態では、従来のタイプの貯蔵バッグが、いわゆる高濃度マスクを提供するためにマスク入口と連通して提供されてもよい。
【図１】
0006293760.tif 000002
【図２】
0006293760.tif 000003
【図３】
0006293760.tif 000004